(57)【要約】【課題】  生理時以外であっても容易に身体を清潔に保持するのに用いられる女性用エチケット用品を提供することである。【解決手段】  水を含ませた吸水性材料で形成され、膣内を清浄にするための清浄体を備え、清浄体には、一端のほぼ中央部に引出し用コードが取り付けられており、清浄体を膣内に挿入するためのアプリケータを更に備え、アプリケータが、清浄体を収容するための外筒と、清浄体を前記外筒から押し出すための押出しロッドとを有し、清浄体が、その長さ方向軸線を中心として捩じられた状態で且つ引出し用コードが押出しロッドの内部に通された状態で外筒内に収容されており、アプリケータを収納するためのケースを更に備えていることを特徴とする女性用エチケット用品が提供される。【選択図】  図１
2010234046.tif 000002
【特許請求の範囲】
【請求項１】
水を含ませた吸水性材料で形成され、膣内を清浄にするための清浄体を備え、
前記清浄体には、一端のほぼ中央部に引出し用コードが取り付けられており、
前記清浄体を膣内に挿入するためのアプリケータを更に備え、
前記アプリケータが、前記清浄体を収容するための外筒と、前記清浄体を前記外筒から押し出すための押出しロッドとを有し、
前記清浄体が、その長さ方向軸線を中心として捩じられた状態で且つ引出し用コードが前記押出しロッドの内部に通された状態で前記外筒内に収容されており、
前記アプリケータを収納するためのケースを更に備えている
ことを特徴とする女性用エチケット用品。
【請求項２】
前記清浄体の外径が、前記外筒の内径よりも僅かに大きく形成されていることを特徴とする請求項１に記載された女性用エチケット用品。
【発明の詳細な説明】
【技術分野】
【０００１】
本発明は、生理時以外に使用することができる女性用エチケット用品に関する。
【背景技術】
【０００２】
従来、女性が生理時に使用する生理用品として、ナプキンやタンポン等の種々の種類のものが知られ、市販されている。これらの生理用品は一般的に、経血等の体液を吸収し保持するための吸収体である。
【発明の開示】
【発明が解決しようとする課題】
【０００３】
しかしながら、生理時以外であっても、においが気になったり、また外出した際にも容易に身体を清潔に保ちたいという要請がある。
【０００４】
本発明は、このような現状に鑑みて開発されたものであって、生理時以外であっても容易に身体を清潔に保持するのに用いられる女性用エチケット用品を提供することを目的としている。
【課題を解決するための手段】
【０００５】
本願請求項１に記載の女性用エチケット用品は、水を含ませた吸水性材料で形成され、膣内を清浄にするための清浄体を備え、前記清浄体には、一端のほぼ中央部に引出し用コードが取り付けられており、前記清浄体を膣内に挿入するためのアプリケータを更に備え、前記アプリケータが、前記清浄体を収容するための外筒と、前記清浄体を前記外筒から押し出すための押出しロッドとを有し、前記清浄体が、その長さ方向軸線を中心として捩じられた状態で且つ引出し用コードが前記押出しロッドの内部に通された状態で前記外筒内に収容されており、前記アプリケータを収納するためのケースを更に備えていることを特徴とするものである。
【０００６】
本願請求項２に記載の女性用エチケット用品は、前記請求項１のエチケット用品において、前記清浄体の外径が、前記外筒の内径よりも僅かに大きく形成されていることを特徴とするものである。
【発明の効果】
【０００７】
本発明の女性用エチケット用品によれば、生理時以外であっても容易に身体を清潔に保持することができる。とりわけ、清浄体を引き抜こうとする際、膣壁が擦られるため、非常に良好に清浄が行われる。なお、本発明のエチケット用品は、タンポンのように体内に残すものではないので、医薬品ではなく、身だしなみを整える、いわゆるエチケット用品の範疇に入るものである。
【発明を実施するための最良の形態】
【０００８】
次に図面を参照して、本発明の好ましい実施の形態に係る女性用エチケット用品について詳細に説明する。図１（ａ）は、本発明の好ましい実施の形態に係る女性用エチケット用品を示した部分切り取り断面図、図１（ｂ）は、図１（ａ）の女性用エチケット用品においてケースを外した状態を示した断面図である。図１（ａ）において全体として参照符号１０で示される本発明の好ましい実施の形態に係る女性用エチケット用品は、膣内を清浄にするための清浄体１２を備えている。
【０００９】
清浄体１２には、図１に示されるように、一端のほぼ中央部に引出し用コード１２ａが取り付けられている。好ましくは、清浄体１２は、水を含ませた吸水性材料（例えば、スポンジ）で形成されている。或いは、膣内を清浄にすることができるものであれば、他の適当な材料を用いてもよい。なお、使用時の違和感を軽減させるため、清浄体１２の表面に適当な潤滑ゼリーを塗布してもよい。
【００１０】
清浄体１２の形状は、後述するアプリケータ１４に収納できるものであれば、特に限定されるものではないが、使用時の違和感の出来る限り少なくするため、円板形であるのが好ましい。
【００１１】
引出し用コード１２ａは、体内から清浄体１２を引き出す際に用いられるものである。引出し用コード１２ａの材料として、清浄体１２の引出しに耐え得る強度を有するものであれば、特に限定されるものではないが、例えば、木綿糸、木綿糸とポリエステル糸との複合糸などを挙げることができる。
【００１２】
女性用エチケット用品１０は又、清浄体１２を膣内に挿入するためのアプリケータ１４を備えている。アプリケータ１４は、清浄体１２を収容するための外筒１４ａと、清浄体１２を外筒１４ａから押し出すための押出しロッド１４ｂとを有している。
【００１３】
外筒１４ａは、横断面が円形であり、内部に清浄体１２を収容するための空洞が形成され、両端が開放した円筒形状に形作られている。押出しロッド１４ｂは、内部が空洞になっており、押出しロッド１４ｂの内部には、引出し用コード１２ａが通されている。
【００１４】
清浄体１２は、その長さ方向軸線ｘ−ｘを中心として捻じられた状態で外筒１４ａ内に収容されている（図２参照）。好ましくは、清浄体１２の外径は、外筒１４ａ内への収容時に捩じられた状態が維持されるように、外筒１４ａの内径よりも僅かに大きく形成されている。
【００１５】
女性用エチケット用品１０は更に、清浄体１２およびアプリケータ１４を収容するためのケース１６を備えている。ケース１６は、プラスック等で形成した除菌作用のあるものであるのが好ましい。
【００１６】
次に図３を参照して、以上のように構成された女性用エチケット用品１０の使用法について説明する。まず最初に、ケース１６を取り外して、アプリケータ１４を取り出す（図３（ａ）、（ｂ）参照）。次いで、アプリケータ１４の先端を膣口に挿入した状態で、押出しロッド１４ｂを押して、清浄体１２を膣内に押し込む（図３（ｃ）参照）。そして、アプリケータ１４を外した後、引出し用コード１２ａを持って清浄体１２をゆっくり引き抜くことによって、膣内を清浄にする（図３（ｄ）参照）。その際、捩じられた状態の清浄体１２が元に戻ろうとして、膣内において捩じられた方向と反対方向に回転し膣壁を擦ろうとするため、膣内が非常に良好に清浄にされる。最後に、引き抜いた清浄体１２及びアプリケータ１４をケース１６に入れて所定の場所に廃棄する。
【００１７】
本発明は、以上の発明の実施の形態に限定されることなく、特許請求の範囲に記載された発明の範囲内で、種々の変更が可能であり、それらも本発明の範囲内に包含されるものであることはいうまでもない。
【００１８】
たとえば、前記実施の形態に示されるアプリケータ１４やケース１６の形状や大きさは、単なる例示的なものであり、図示したものに限定されるものではない。また、清浄体１２に除菌剤や消臭剤などを含浸させてもよい。
【図面の簡単な説明】
【００１９】
【図１】図１（ａ）は、本発明の好ましい実施の形態に係る女性用エチケット用品を示した部分切り取り断面図、図１（ｂ）は、図１（ａ）の女性用エチケット用品においてケースを外した状態を示した断面図である。
【図２】清浄体が外筒内に捩じられた状態で収容されていることを説明するための部分切り取り斜視図である。
【図３】図１の女性用エチケット用品の使用法を示した一連の図である。
【符号の説明】
【００２０】
１０  女性用エチケット用品
１２  清浄体
１２ａ  引出し用コード
１４  アプリケータ
１４ａ  外筒
１４ｂ  押出しロッド
１６  ケース
【図１】
2010234046.tif 000003
【図２】
2010234046.tif 000004
【図３】
2010234046.tif 000005